(57)【特許請求の範囲】
【請求項１】
ディスク状記録媒体を搭載するターンテーブルを回転させる回転駆動手段と、
上記ターンテーブルの回転位置を検出する回転位置検出手段と、
上記回転位置検出手段による検出出力に基づいて、上記ディスク状記録媒体の回転を特定の位置で停止させるように、上記回転駆動手段を制御する制御手段と、
上記ディスク状記録媒体に記録されている情報を読み取る情報読み取り手段とを備え、
上記制御手段は、上記ディスク状記録媒体を上記ターンテーブル上に所定の方向に載置した場合に、上記ターンテーブルの回転開始前に上記回転位置検出手段によって検出される上記ターンテーブルのアドレス情報を回転開始位置情報として記憶するとともに、上記ターンテーブルの回転中に上記情報読み取り手段によって読み取られる上記ディスク状記録媒体の所定のデータ位置に対応する上記ターンテーブルのアドレス情報を基準位置情報として記憶し、上記回転開始位置情報と上記基準位置情報とによりアドレス情報のオフセット値を算出し、上記所定のデータ位置を特定する情報と上記オフセット値を対にして初期位置情報として記憶しておくことにより、上記ディスク状記録媒体を任意の方向に載置して上記ターンテーブルを回転させる場合において、上記初期位置情報に基づいて、上記ディスク状記録媒体の所定のデータ位置に対応する上記ターンテーブルのアドレス情報を検出し、上記オフセット値を用いることにより、上記所定の方向で上記ディスク状記録媒体を停止させるように上記回転駆動手段を制御することを特徴とするディスク状記録媒体の回転駆動装置。
【請求項２】
上記所定のデータ位置を特定する情報は光ディスクのＴＯＣデータであり、上記所定のデータ位置はＴＯＣエリアと１曲目の境界のポイントであることを特徴とする請求項１に記載のディスク状記録媒体の回転駆動装置。
【請求項３】
ディスク状記録媒体をターンテーブル上に所定の方向に載置した場合に、上記ターンテーブルの回転開始前に上記ターンテーブルの回転位置をアドレス情報として検出し、検出した上記アドレス情報を回転開始位置情報として記憶し、
上記ターンテーブルの回転中に上記ディスク状記録媒体の所定のデータ位置を読み取り、その位置に対応する上記ターンテーブルの回転位置をアドレス情報として検出し、検出した上記アドレス情報を基準位置情報として記憶し、
上記回転開始位置情報と上記基準位置情報とよりアドレス情報のオフセット値を算出して、上記所定のデータ位置を特定する情報と上記オフセット値を対にして初期位置情報として記憶しておくことにより、
上記ディスク状記録媒体を任意の方向に載置して上記ターンテーブルを回転させる場合において、上記初期位置情報に基づいて、上記ディスク状記録媒体の所定のデータ位置に対応する上記ターンテーブルのアドレス情報を検出し、上記オフセット値を用いることにより、上記所定の方向で上記ディスク状記録媒体を停止させることを特徴とするディスク状記録媒体の回転駆動方法。
【請求項４】
上記所定のデータ位置を特定する情報は光ディスクのＴＯＣデータであり、上記所定のデータ位置は、ＴＯＣエリアと１曲目の境界のポイントであることを特徴とする請求項３に記載のディスク状記録媒体の回転駆動方法。
【発明の詳細な説明】
【０００１】
【発明の属する技術分野】
この発明は、例えば光ディスクプレーヤ等のディスク状記録媒体の回転駆動装置及び回転駆動方法に関する。
【０００２】
【従来の技術】
従来より、ディスク状記録媒体を介して情報の記録及び／又は再生を行う光ディスクプレーヤ等では、スピンドルモータによりディスク状記録媒体を角速度一定又は線速度一定に回転駆動して、光学ヘッドにより情報の記録及び／又は再生を行っている。
【０００３】
上記ディスク状記録媒体としては、オーディオ用のコンパクトディスクやＣＤ−ＲＯＭ等の再生専用光ディスク、また、ＣＤ−Ｒ等の追記型の光ディスク、さらに、光磁気ディスク（ＭＤ）や相変化ディスク（ＰＤ）等の情報の書換え可能な光ディスクなどが知られている。
【０００４】
光磁気ディスク（ＭＤ）や相変化ディスク（ＰＤ）等は、カートリッジ内に収納され状態でプレーヤに装着されるようになっているのに対し、オーディオ用のコンパクトディスクやＣＤ−ＲＯＭ，ＣＤ−Ｒ等は、カートリッジ内に収納されることなく、そのままの状態でプレーヤに装着されるようになっている。
【０００５】
オーディオ用のコンパクトディスクやＣＤ−ＲＯＭでは、そのレーベル面にディスクの記録内容などが表記されている。ユーザは、レーベル面の表記内容を読み取ることによって、ディスクの記録内容等を知ることができる。
【０００６】
【発明が解決しようとする課題】
ところで、ディスク状記録媒体のレーベル面に印刷されている表記内容は、レーベル面が正位置の状態にあれば読み易いが、回転している状態では読み取ることができず、また、レーベル面が正位置以外の斜めの状態や逆位置の状態にある場合には読み取り難い。
【０００７】
従来より、装着された光ディスクのレーベル面を視認できるような構造の光ディスクプレーヤでは、ユーザがレーベル面を読む必要がある場合には、レーベル面が読み易い状態で装着するので、装着時にはレーベル面を読むことができる。
【０００８】
しかし、光ディスクを回転させてしまうとレーベル面をユーザが読み取ることはできず、従来の光ディスクプレーヤでは、回転終了時の光ディスクの停止位置は決まっておらず、レーベル面が読み易い状態で停止することは少ない。
【０００９】
そこで、本発明の目的は、上述の如き従来の実状に鑑み、回転終了時にレーベル面が読み易い状態でディスク状記録媒体の回転を停止させることができるディスク状記録媒体の回転駆動装置及び回転駆動方法を提供することにある。
【００１０】
【課題を解決するための手段】
本発明に係るディスク状記録媒体の回転駆動装置は、ディスク状記録媒体を搭載するターンテーブルを回転させる回転駆動手段と、上記ターンテーブルの回転位置を検出する回転位置検出手段と、上記回転位置検出手段による検出出力に基づいて、上記ディスク状記録媒体の回転を特定の位置で停止させるように、上記回転駆動手段を制御する制御手段と、上記ディスク状記録媒体に記録されている情報を読み取る情報読み取り手段とを備え、上記制御手段は、上記ディスク状記録媒体を上記ターンテーブル上に所定の方向に載置した場合に、上記ターンテーブルの回転開始前に上記回転位置検出手段によって検出される上記ターンテーブルのアドレス情報を回転開始位置情報として記憶するとともに、上記ターンテーブルの回転中に上記情報読み取り手段によって読み取られる上記ディスク状記録媒体の所定のデータ位置に対応する上記ターンテーブルのアドレス情報を基準位置情報として記憶し、上記回転開始位置情報と上記基準位置情報とによりアドレス情報のオフセット値を算出し、上記所定のデータ位置を特定する情報と上記オフセット値を対にして初期位置情報として記憶しておくことにより、上記ディスク状記録媒体を任意の方向に載置して上記ターンテーブルを回転させる場合において、上記初期位置情報に基づいて、上記ディスク状記録媒体の所定のデータ位置に対応する上記ターンテーブルのアドレス情報を検出し、上記オフセット値を用いることにより、上記所定の方向で上記ディスク状記録媒体を停止させるように上記回転駆動手段を制御することを特徴とする。
【００１１】
また、本発明に係るディスク状記録媒体の回転駆動方法は、ディスク状記録媒体をターンテーブル上に所定の方向に載置した場合に、上記ターンテーブルの回転開始前に上記ターンテーブルの回転位置をアドレス情報として検出し、検出した上記アドレス情報を回転開始位置情報として記憶し、上記ターンテーブルの回転中に上記ディスク状記録媒体の所定のデータ位置を読み取り、その位置に対応する上記ターンテーブルの回転位置をアドレス情報として検出し、検出した上記アドレス情報を基準位置情報として記憶し、上記回転開始位置情報と上記基準位置情報とよりアドレス情報のオフセット値を算出して、上記所定のデータ位置を特定する情報と上記オフセット値を対にして初期位置情報として記憶しておくことにより、上記ディスク状記録媒体を任意の方向に載置して上記ターンテーブルを回転させる場合において、上記初期位置情報に基づいて、上記ディスク状記録媒体の所定のデータ位置に対応する上記ターンテーブルのアドレス情報を検出し、上記オフセット値を用いることにより、上記所定の方向で上記ディスク状記録媒体を停止させることを特徴とする。
【００１２】
本発明において、例えば、上記所定のデータ位置を特定する情報は光ディスクのＴＯＣデータであり、上記所定のデータ位置は、ＴＯＣエリアと１曲目の境界のポイントである。
【００１３】
【発明の実施の形態】
以下、本発明の実施の形態について図面を参照して詳細に説明する。
【００１４】
本発明は、例えば図１に示すような構成の光ディスクプレーヤにされる。
【００１５】
この図１に示した光ディスクプレーヤ１００は、データが記録された光ディスク１が載置されるターンテーブル１０と、上記ターンテーブル１０が回転軸２１に設けられたスピンドルモータ２０と、上記ターンテーブル１０に設けられたアドレス情報を検出するアドレスセンサ３０と、上記光ディスク１に記録されているデータを読み取る光学ピックアップ４０と、上記スピンドルモータ２０、アドレスセンサ３０や光学ピックアップ４０等が接続されたシステムコントローラ５０等を備える。
【００１６】
上記ターンテーブル１０には、図２に示すように１周３６０°を３６０分割して中心角１°を１区域とするアドレス１〜アドレス３６０のアドレス情報領域が設けられている。このターンテーブル１０は、スピンドルモータ２０の回転軸２１に設けられており、上記スピンドルモータ２０によって回転駆動される。そして、上記ターンテーブル１０に載置された光ディスク１は、上記スピンドルモータ２０により上記ターンテーブル１０とともに例えば線速度一定の状態で回転される。ここで、上記スピンドルモータ２０は、その回転がシステムコントローラ５０により制御されるようになっていている。
【００１７】
また、上記アドレスセンサ３０は、上記ターンテーブル１０に設けられたアドレス情報領域から、上記ターンテーブル１０の１回転毎にアドレス１〜アドレス３６０を検出する。このアドレスセンサ３０の検出出力として上記ターンテーブル１０の１回転毎に得られる上記アドレスセンサ３０によりアドレス１〜アドレス３６０は、システムコントローラ５０に供給されるようになっていている。
【００１８】
さらに、上記光学ピックアップ４０は、光ディスク１に記録されているデータを読み取る。この光学ピックアップ４０により光ディスク１から読み取られたデータは、システムコントローラ５０に供給されるようになっていている。
【００１９】
そして、上記システムコントローラ５０は、マイクロコンピュータを用いたもので、図示しない操作部からの操作入力に応じて、次のような制御動作を行うようになっている。
【００２０】
すなわち、上記システムコントローラ５０は、図示しない操作部から回転開始を指示する操作入力があると、上記ターンテーブル１０とともに光ディスク１を回転させるように上記スピンドルモータ２０を起動するのであるが、上記スピンドルモータ２０の起動前に、上記アドレスセンサ３０により上記ターンテーブル１０のアドレス情報領域から現在のアドレス情報を読み取って、そのアドレス情報を回転開始位置情報としてメモリ５１に記憶する。その後、上記スピンドルモータ２０を起動して上記ターンテーブル１０とともに光ディスク１を線速度一定の状態で回転させるように上記スピンドルモータ２０を制御する。
【００２１】
そして、上記システムコントローラ５０は、図示しない操作部から回転停止を指示する操作入力があると、上記ターンテーブル１０とともに光ディスク１の回転を停止させるように上記スピンドルモータ２０の回転を停止させるのであるが、上記アドレスセンサ３０により上記ターンテーブル１０のアドレス情報領域から読み取られた現在のアドレス情報（アドレス１〜アドレス３６０）を上述の回転開始時に回転開始位置情報として記憶したアドレス情報と比較し、現在のアドレス情報が上記回転開始位置情報と一致する状態で、上記スピンドルモータ２０の回転を停止させるように、上記スピンドルモータ２０を制御する。
【００２２】
これにより、上記ターンテーブル１０は、回転開始時の位置と回転終了時の位置が同じになる。
【００２３】
従って、上記ターンテーブル１０に載置された光ディスク１は、回転開始前にレーベル面の表示内容をユーザが読み取り易い状態にあれば、回転開始時の位置と回転終了時の位置が同じになるので、回転終了時にもレーベル面の表示内容をユーザが読み取り易い状態になる。
【００２４】
ここで、回転終了時の上記ターンテーブル１０の回転停止位置は、上記アドレス情報領域から読み取られる任意のアドレス情報（アドレス１〜アドレス３６０）に設定することができ、任意の位置で光ディスク１を停止させることが可能である。
【００２５】
また、この光ディスクプレーヤ１００では、上記光学ピックアップ４０により光ディスク１から読み取られたデータがシステムコントローラ５０に供給されるようになっているので、上記光ディスク１から読み取られたデータと上記アドレスセンサ３０により上記ターンテーブル１０のアドレス情報領域から読み取られたアドレス情報（アドレス１〜アドレス３６０）に基づいて、上記システムコントローラ５０により、上記スピンドルモータ２０を次のように制御することもできる。
【００２６】
すなわち、光ディスク１を初めて光ディスクプレーヤ１００にかける際に、図２に示すように、レーベル面ＬＢが正位置となるように光ディスク１をターンテーブル１０に載置させる。
【００２７】
そして、上記スピンドルモータ２０の起動前に、上記アドレスセンサ３０により上記ターンテーブル１０のアドレス情報領域から現在のアドレス情報を読み取って、そのアドレス情報（ここでは例えばアドレス１とする）を回転開始位置情報Ａ１としてメモリ５１に記憶する。
【００２８】
次に、光ディスク１自体に印を付ける意味で、例えばコンパクトディスクであればＴＯＣエリアから１曲目にディスクのデータが変わるポイント又は１曲目の始まるポイントすなわちＴＯＣエリアと１曲目の境界のポイントＰ0 において、上記アドレスセンサ３０により上記アドレス情報領域から読み取られたアドレス情報（ここでは図２に示すアドレス９１とする）を基準位置情報Ａ２としてメモリ５１に記憶する。
【００２９】
さらに、上記基準位置情報（Ａ２＝アドレス９１）に対して回転開始位置情報（Ａ１＝アドレス１）がどれだけオフセットされているかを計算することにより、オフセット値を算出する。
【００３０】
そして、光ディスク１のＴＯＣデータとオフセット値（ＯＦＳ＝アドレス９１−アドレス１＝アドレス差９０）を対にして、光ディスク１の正位置情報Ａ３としてメモリ５１に記憶する。
【００３１】
この正位置情報Ａ３は光ディスク１のＴＯＣエリアと１曲目の境界のポイントＰ0 からのレーベル面の正位置のオフセット値ＯＦＳであるから、１度メモリ５１に記憶すれば、この光ディスクプレーヤ１００は、光ディスク１が次にレーベル面が正位置にない状態でターンテーブル１０に載置されたとしても、ＴＯＣエリアを読み出すことにより、新たにＴＯＣデータ及び基準位置情報Ａ２を得ることができ、この基準位置情報とメモリ５１に記憶されている光ディスク１のＴＯＣデータ及び正位置情報Ａ３（オフセット値ＯＦＳ＝アドレス差９０）により、回転終了時にレーベル面を正位置とさせた状態で光ディスク１の回転を停止させるように上記スピンドルモータ２０を制御することができる。
【００３２】
なお、上述の光ディスクプレーヤ１００では、回転終了時にレーベル面を正位置とさせた状態で光ディスク１の回転を停止させる場合について説明したが、必ずしもレーベル面を正位置とさせる必要はなく、任意の位置で光ディスク１を停止させることができる。
【００３３】
また、光ディスク１のＴＯＣデータとオフセット値を対にして、光ディスク１の正位置情報として自動的に記憶するのではなく、ユーザが正位置情報をメモリ５１に記憶する否かを選択するようにすることも可能である。
【００３４】
【発明の効果】
本発明では、ディスク状記録媒体をターンテーブル上に所定の方向に載置した場合に、上記ターンテーブルの回転開始前に回転位置検出手段によって検出される上記ターンテーブルのアドレス情報を回転開始位置情報として記憶するとともに、上記ターンテーブルの回転中に情報読み取り手段によって読み取られる上記ディスク状記録媒体の所定のデータ位置に対応する上記ターンテーブルのアドレス情報を基準位置情報として記憶し、上記回転開始位置情報と上記基準位置情報とによりアドレス情報のオフセット値を算出し、上記所定のデータ位置を特定する情報と上記オフセット値を対にして初期位置情報として記憶しておくことにより、上記ディスク状記録媒体を任意の方向に載置して上記ターンテーブルを回転させる場合において、上記初期位置情報に基づいて、上記ディスク状記録媒体の所定のデータ位置に対応する上記ターンテーブルのアドレス情報を検出し、上記オフセット値を用いることにより、制御手段によって回転駆動手段を制御して、上記所定の方向で上記ディスク状記録媒体を停止させることができる。
【００３７】
従って、本発明によれば、回転終了時にレーベル面が読み易い状態でディスク状記録媒体の回転を停止させることができるディスク状記録媒体の回転駆動装置及び回転駆動方法を提供することができる。
【図面の簡単な説明】
【図１】本発明を適用した光ディスクプレーヤの構成を示すブロック図である。
【図２】上記光ディスクプレーヤにおけるターンテーブルに設けたアドレス情報領域の構成を模式的に示す平面図である。
【符号の説明】
１  光ディスク、１０  ターンテーブル、２０  スピンドルモータ、３０  アドレスセンサ、４０  光ピックアップ、５０  システムコントローラ、５１  メモリ
【図１】
0003744174.tif 000002
【図２】
0003744174.tif 000003